(57)【要約】【課題】ＱｏＳが利用可能な移動通信端末装置において、ＱｏＳ保証を受ける際に、利用者の意図が反映されるようにする。【解決手段】操作部と、送信部と、受信部と、制御部とを備える構成の移動通信端末装置を提供し、各部が次のように機能するようにする。操作部では、ユーザがＱｏＳ保証を受けたい所定領域に関する情報を登録する。送信部は、操作部で登録された前記所定領域に関する情報及び現在位置を特定可能な情報を送信する。受信部は、現在位置が所定領域内である場合に、ＱｏＳ保証されたデータを受信する。そして、制御部は、送信部で情報を送信する動作及び受信部でＱｏＳ保証を受ける動作の制御を行う。【選択図】図５
2010166243.tif 000002
【特許請求の範囲】
【請求項１】
ユーザがＱｏＳ保証を受けたい所定領域に関する情報を登録するための操作部と、
前記操作部で登録された前記所定領域に関する情報及び現在位置を特定可能な情報を送信する送信部と、
前記現在位置が前記所定領域内である場合に、前記ＱｏＳ保証されたデータを受信する受信部と、
前記送信部で前記情報を送信する動作及び前記受信部で前記ＱｏＳ保証を受ける動作の制御を行う制御部と、
を備える移動通信端末装置。
【請求項２】
前記現在位置を特定可能な情報が、ホームロケーションレジスタに登録される位置情報である
請求項１に記載の移動通信端末装置。
【請求項３】
さらに、全地球測位システムから前記現在位置の情報を取得する位置情報取得部を備え、
前記現在位置を特定可能な情報が、前記位置情報取得部で取得した情報である
請求項１に記載の移動通信端末装置。
【請求項４】
移動通信端末装置から送信されるユーザがＱｏＳ保証を受けたい所定領域に関する情報及び前記移動通信端末装置の現在位置を特定可能な情報を受信する受信部と、
前記受信部で受信した前記所定領域に関する情報を記憶する記憶部と、
前記移動通信端末装置の現在位置を特定可能な情報と前記記憶部に記憶された前記所定領域に関する情報とを照合する判定部と、
前記判定部の照合結果に基づいて、前記移動通信端末装置の前記現在位置が前記所定領域内にある場合には、ＱｏＳ保証されたデータを前記移動通信端末装置に送信する送信部と、
を備えるＱｏＳ制御装置。
【請求項５】
ユーザがＱｏＳ保証を受けたい所定領域に関する情報を登録するための操作部、前記操作部で登録された前記所定領域に関する情報及び現在位置を特定可能な情報を送信する位置情報送信部、前記現在位置が前記所定領域内である場合に、前記ＱｏＳ保証されたデータを受信する受信部、並びに、前記送信部で前記情報を送信する動作及び前記受信部で前記ＱｏＳ保証を受ける動作の制御を行う制御部を有する移動通信端末装置と、
前記移動通信端末装置の前記位置情報送信部から送信されるユーザがＱｏＳ保証を受けたい所定領域の情報を記憶する記憶部、前記位置情報送信部から送信される前記移動通信端末装置の前記現在位置を特定可能な情報と前記記憶部に記憶された前記所定領域に関する情報とを照合する判定部、及び、前記判定部の照合結果に基づいて、前記移動通信端末装置の前記現在位置が前記所定領域内にある場合には、前記ＱｏＳ保証されたデータを前記移動通信端末装置に送信するＱｏＳ送信部を有するＱｏＳ制御装置と
を備える移動通信システム。
【請求項６】
移動通信端末装置が、ユーザがＱｏＳ保証を受けたい所定領域に関する情報をＱｏＳ制御装置に送信するステップと、
前記移動通信端末装置が、その現在位置を特定可能な情報を直接的または間接的に前記ＱｏＳ制御装置に送信するステップと、
前記ＱｏＳ制御装置が、取得した前記移動通信端末装置の現在位置を特定可能な情報と、前記所定領域に関する情報とを照合するステップと、
前記照合の結果、前記移動通信端末装置の現在位置が前記所定領域内にある場合には、前記ＱｏＳ保証されたデータを前記移動通信端末装置に送信するステップと、
を含むＱｏＳの保証方法。
【発明の詳細な説明】
【技術分野】
【０００１】
本発明は、ＱｏＳ（Quality of Service）を利用可能な移動通信端末装置、ＱｏＳ制御装置及び移動通信システム、並びに、ＱｏＳの保証方法に関する。
【背景技術】
【０００２】
従来、インターネットに代表されるコンピュータネットワーク上において、通信の品質を確保するための重要な技術の一つとして、ＱｏＳ（サービス品質）と呼ばれる技術が開発されている。この技術では、所定の情報を通信する際に、その帯域を予約し、その情報通信に対しては一定の通信速度等の通信品質を保証する技術である。通信の遅延や停止が許されない情報、例えば、音声や動画のリアルタイム配信やテレビ電話等を伝送する技術の一つとして重要視されている。
【０００３】
ＱｏＳを保証するシステムは、一般に、ＱｏＳの利用登録を行ったユーザに対してのみＱｏＳ保証を行う。この際、ＱｏＳ保証の利用者は、ＱｏＳ保証を行う業者に帯域を確保してもらい、その対価を業者に支払う。
【０００４】
また、近年、上述のようなＱｏＳ保証技術を無線通信システムへ適用した様々な技術が提案されている（例えば、非特許文献１参照）。
【先行技術文献】
【非特許文献】
【０００５】
【非特許文献１】服部  武（上智大学）：「離散的なＧＰＳスケジューリングによるＱｏＳ保証型ＯＦＤＭパケット通信の検討」，電子情報通信学会総合大会，２００６年
【発明の概要】
【発明が解決しようとする課題】
【０００６】
上述のように、近年、無線通信システムにＱｏＳ保証技術を適用した様々な技術が提案されているが、このようなシステムでは、無線回線の利用率に応じてＱｏＳ保証が行われるのが一般的である。また、ＱｏＳ保証を受けるということと、その利用者が実際にＱｏＳ保証を受ける時の場所とは連動していない。それゆえ、現状では、このようなＱｏＳ保証のシステムにおいて、例えば、利用者がＱｏＳ保証を受けたい場所でのみＱｏＳ保証を受けられるといったような利用者の意図が、反映されないという問題がある。
【０００７】
上記問題を鑑み、本発明では、ＱｏＳが利用可能な移動通信端末装置、ＱｏＳ制御装置移動通信システム及びＱｏＳの保証方法において、ＱｏＳ保証を受ける際に、利用者の意図が反映されるようにすることを目的とする。
【課題を解決するための手段】
【０００８】
上記課題を解決するために、本発明の移動通信端末装置は、操作部と、送信部と、受信部と、制御部とを備える構成とし、各部が次のように機能するようにする。操作部では、ユーザがＱｏＳ保証を受けたい所定領域に関する情報を登録する。送信部は、操作部で登録された前記所定領域に関する情報及び現在位置を特定可能な情報を送信する。受信部は、現在位置が所定領域内である場合に、ＱｏＳ保証されたデータを受信する。そして、制御部は、送信部で情報を送信する動作及び受信部でＱｏＳ保証を受ける動作の制御を行う。
【０００９】
また、本発明のＱｏＳ制御装置は、受信部と、記憶部と、判定部と、送信部とを備える構成とし、各部が次のように機能するようにする。受信部は、移動通信端末装置から送信されるユーザがＱｏＳ保証を受けたい所定領域の情報及び移動通信端末装置の現在位置を特定可能な情報を受信する。記憶部は、受信部で受信した所定領域の情報を記憶する。判定部は、移動通信端末装置の現在位置を特定可能な情報と記憶部に記憶された所定領域に関する情報とを照合する。そして、送信部は、判定部の照合結果に基づいて、移動通信端末装置の現在位置が所定領域内にある場合には、ＱｏＳ保証されたデータを移動通信端末装置に送信する。
【００１０】
また、本発明の移動通信システムは、上記本発明の移動通信端末装置と、ＱｏＳ制御装置とを備え、ＱｏＳ制御装置は、記憶部と、判定部と、ＱｏＳ送信部とを有する構成とする。そして、ＱｏＳ制御装置を構成する各部が次のように機能するようにする。記憶部は、移動通信端末装置の位置情報送信部から送信されるユーザがＱｏＳ保証を受けたい所定領域の情報を記憶する。判定部は、位置情報送信部から送信される移動通信端末装置の現在位置を特定可能な情報と記憶部に記憶された所定領域に関する情報とを照合する。そして、ＱｏＳ送信部は、判定部の照合結果に基づいて、移動通信端末装置の現在位置が所定領域内にある場合には、ＱｏＳ保証されたデータを移動通信端末装置に送信する。
【００１１】
さらに、本発明のＱｏＳの保証方法は、次のような手順でＱｏＳを移動通信端末装置に保証するようにする。まず、移動通信端末装置が、ユーザがＱｏＳ保証を受けたい所定領域に関する情報をＱｏＳ制御装置に送信する。次いで、移動通信端末装置が、その現在位置を特定可能な情報を直接的または間接的にＱｏＳ制御装置に送信する。次いで、ＱｏＳ制御装置が、取得した移動通信端末装置の現在位置を特定可能な情報と、所定領域に関する情報とを照合する。そして、照合の結果、移動通信端末装置の現在位置が所定領域内にある場合には、ＱｏＳ保証されたデータを移動通信端末装置に送信する。
【発明の効果】
【００１２】
上述のように、本発明では、利用者によりＱｏＳ制御装置に登録された領域においてのみ、移動通信端末装置にＱｏＳが保証される。それゆえ、本発明によれば、ＱｏＳ保証を受ける際に、利用者の意図を反映することができる。
【図面の簡単な説明】
【００１３】
【図１】本発明の第１の実施形態に係るＱｏＳ保証型移動通信システムの概略構成図である。
【図２】第１の実施形態の移動通信端末装置のブロック構成図である。
【図３】第１の実施形態のＱｏＳ保証型移動通信システムの動作の手順を示す図である。
【図４】第１の実施形態のＱｏＳ保証型移動通信システムの動作の様子を示す図である。
【図５】第１の実施形態のＱｏＳ保証型移動通信システムの動作の様子を示す図である。
【図６】本発明の第２の実施形態に係るＱｏＳ保証型移動通信システムの概略構成図である。
【図７】第２の実施形態のＱｏＳ保証型移動通信システムの動作の手順を示す図である。
【図８】第２の実施形態のＱｏＳ保証型移動通信システムの動作の様子を示す図である。
【図９】第２の実施形態のＱｏＳ保証型移動通信システムの動作の様子を示す図である。
【発明を実施するための形態】
【００１４】
以下、本発明を実施するための最良の形態の例を以下の順で説明する。ただし、本発明は以下の例に限定されるものではない。
１．第１の実施形態：ＨＬＲ（Home Location Register：ホームロケーションレジスタ）と連動したＱｏＳ保証型移動通信システムの構成例
２．第２の実施形態：ＧＰＳ（Global Positioning System：全地球測位システム）と連動したＱｏＳ保証型移動通信システムの構成例
【００１５】
＜１．第１の実施形態＞
第１の実施形態では、ＨＬＲに登録される移動通信端末装置の現在位置の情報に基づいて、ＱｏＳ保証を行うＱｏＳ保証型移動通信システム（移動通信システム）の構成例を説明する。なお、ＨＬＲは、移動通信端末装置から基地局を介して送信される移動通信端末装置のＩＤ情報（ユーザＩＤ）及び基地局に関する情報を自動的に取得して管理する。これにより、移動通信端末装置の現在位置がＨＬＲに登録される。
【００１６】
［ＱｏＳ保証型移動通信システムの構成］
図１は、本実施形態のＨＬＲに連動したＱｏＳ保証型移動通信システムの概略構成図である。ＱｏＳ保証型移動通信システム１００は、主に、移動通信端末装置１と、所定の移動通信システムネットワーク５０内に設けられたＱｏＳ制御装置５２（ＱｏＳサーバ）とで構成される。
【００１７】
なお、本実施形態では、ＱｏＳ制御装置５２及びＨＬＲ５１が同じ移動通信システムネットワーク５０内に設けられている例を示すが、本発明はこれに限定されない。ＱｏＳ制御装置５２及びＨＬＲ５１が互いに別の移動通信システムネットワーク内にそれぞれ設けられていてもよい。また、ＱｏＳ制御装置５２は、移動通信システムネットワーク５０内でＨＬＲ５１に接続されており、ＨＬＲ５１に登録（記憶）された移動通信端末装置１の現在位置の情報を取得できる構成になっている。
【００１８】
ＱｏＳ制御装置５２は、送受信部５２ａ（ＱｏＳ受信部を含む）と、データベース５２ｂ（記憶部）と、判定部５２ｃとを備える。各部の機能は次の通りである。
【００１９】
送受信部５２ａは、移動通信システムネットワーク５０を介して移動通信端末装置１との間でデータを送受信する。例えば、送受信部５２ａは、移動通信端末装置１にＱｏＳの保証を提供する。また、送受信部５２ａは、ＱｏＳ保証を受けることのできる領域３０（以下、ＱｏＳ保証エリアという）の登録依頼を移動通信端末装置１から受信する。
【００２０】
データベース５２ｂは、移動通信端末装置１から送信されたＱｏＳ保証エリア３０の情報を記憶（登録）する。
【００２１】
判定部５２ｃは、データベース５２ｂに記憶されたＱｏＳ保証エリア３０の情報と、ＨＬＲ５１から取得する移動通信端末装置１の現在位置の情報とを照合して、移動通信端末装置１がＱｏＳ保証エリア３０内に存在するか否かを判断する。
【００２２】
なお、本実施形態では、移動通信端末装置１の現在位置の情報としてＨＬＲ５１に登録（管理）されている位置情報を用いるので、それと照合するＱｏＳ保証エリア３０の最小範囲（単位）は、一つの基地局が電波を届けられる範囲、すなわち、セルとすることが好ましい。ただし、ＱｏＳ制御装置５２のデータベース５２ｂに登録されるＱｏＳ保証エリア３０の範囲は適宜変更可能であり、隣り合うセルを複数まとめて登録してもよいし、互いに隣接しない複数のセルをＱｏＳ保証エリアとして登録してもよい。また、登録されるＱｏＳ保証エリア３０をセルとは無関係に設定してもよい。ただし、この場合には、データベース５２ｂに登録されるＱｏＳ保証エリア３０と、ＨＬＲ５１から得られる移動通信端末装置１の現在位置とが照合可能となるように照合プログラムを工夫する必要がある。
【００２３】
移動通信端末装置１は、いわゆる携帯電話端末と称されるものであり、無線電話用の基地局と無線通信を行う端末装置である。
【００２４】
図２は、本実施形態の移動通信端末装置１のブロック構成図である。移動通信端末装置１は、図２に示すように、制御部２と、通信回路部３と、通信回路部３に接続されたアンテナ４と、表示部５と、操作部６と、記憶部７とを備える。また、移動通信端末装置１は、通話時の音声を出力するためのスピーカ１０と、通話時の音声を吸音するためのマイクロフォン１１と、通話時の音声データをデジタルアナログ変換する音声処理部１２とを備える。
【００２５】
さらに、移動通信端末装置１は、ＧＰＳ用アンテナ１３と、それに接続されたＧＰＳ制御部１４（位置情報取得部）とを備える。すなわち、本実施形態の移動通信端末装置１は、ＧＰＳにより、移動通信端末装置１の位置情報を取得する機能を備える。
【００２６】
また、移動通信端末装置１は、制御ライン８及びデータライン９を備える。制御ライン８は、これに接続されている各部を制御する信号を流すための信号線である。移動通信端末装置１内の幾つかの各部は、図２に示すように、制御ライン８を通じて制御部２と接続しており、制御部２の制御により各部での処理が行われる。また、データライン９は、これに接続されている各部間でデータ転送を行うための信号線である。なお、図２には示していないが、移動通信端末装置１は電源部を備えており、電源部から各部に電力が供給される。
【００２７】
制御部２は、例えばＣＰＵ（Central Processing Unit）等の演算制御装置からなり、移動通信端末装置１を構成する各部を制御する。
【００２８】
通信回路部３は、送信部３ａ及び受信部３ｂを有し、通話時に制御部２の制御により、アンテナ４を介して携帯電話基地局（例えば、図１中の基地局４０）との間で送信信号の送信及び受信信号の受信を行う。また、通信回路部３は携帯電話基地局との間で送受信する電波の変調及び復調も行う。
【００２９】
表示部５は、液晶ディスプレイ（ＬＣＤ：Liquid Crystal Display）などで構成される。また、操作部６は、ジョグダイアルやキーパッドなどから構成される。操作部６では、電話番号やメール文などの入力操作、各種モードの設定操作などの入力操作信号を入力することができる。
【００３０】
記憶部７は、フラッシュメモリ（半導体メモリ）等の不揮発性メモリから構成される。記憶部７には、電話帳やスケジュール、メールメッセージ、動画、静止画、音楽、アプリケーションソフトウェア、ブックマーク、ウェブページ等の様々なデータ及びコンピュータプログラムが格納される。
【００３１】
ＧＰＳ制御部１４は、ＧＰＳ用アンテナ１３を介して受信したＧＰＳ情報を、制御部２の制御に基づいて復調し、移動通信端末装置１の現在位置の情報（緯度及び経度）を取得する。
【００３２】
なお、移動通信端末装置１のＩＤ情報は、送信部３ａ、アンテナ４、基地局及び移動通信システムネットワーク５０を介してＨＬＲ５１に登録される。また、ＱｏＳ保証エリア３０の登録情報は、送信部３ａ、アンテナ４、基地局及び移動通信システムネットワーク５０を介してＱｏＳ制御装置５２に送信される。逆に、ＱｏＳ保証は、ＱｏＳ制御装置５２から移動通信システムネットワーク５０、基地局４０、アンテナ４及び受信部３ｂを介して移動通信端末装置１に提供される。
【００３３】
［システムの動作］
次に、本実施形態のＱｏＳ保証型移動通信システム１００の動作を図３〜５を参照しながら説明する。図３は、本実施形態のＱｏＳ保証型移動通信システム１００の動作の手順を示す図であり、移動通信端末装置１、ＨＬＲ５１及びＱｏＳ制御装置５２の各動作、並びに、それらの間のデータの送受信の様子を示している。また、図３には、ＱｏＳ保証エリア３０の登録処理、移動通信端末装置１がＱｏＳ保証エリア３０に存在しないときの処理（処理１）及び移動通信端末装置１がＱｏＳ保証エリア３０に移動した際の処理（処理２）の手順を示す。
【００３４】
図４は、ＱｏＳ保証エリア３０の登録処理、及び、移動通信端末装置１がＱｏＳ保証エリア３０に存在しないときの処理（処理１）の様子を示す図である。また、図５は、移動通信端末装置１がＱｏＳ保証エリア３０に存在するときの処理（処理２）の様子を示す図である。なお、図３〜５の例では、図４中の基地局４０のセル（または、基地局４０の位置情報）がＱｏＳ保証エリア３０としてＱｏＳ制御装置５２に登録されている場合を考える。
【００３５】
まず、本実施形態におけるＱｏＳ保証エリア３０の登録処理の手順を、図３及び４を参照しながら説明する。この処理は、ユーザがＱｏＳの保証を受けるための前処理である。移動通信端末装置１（ユーザ）は、現在位置するセル内の基地局（図４の例では基地局４１）を介して、ＱｏＳ制御装置５２にＱｏＳ保証エリア３０（セル）の登録依頼情報を送信する（ステップＳ１）。このステップＳ１では、例えば、ユーザがＱｏＳの登録ページを表示部５の表示画面上に表示し、ＱｏＳ保証エリア３０の登録メニュー等を選択してＱｏＳ保証エリア３０を登録する。
【００３６】
次いで、ＱｏＳ制御装置５２は、移動通信端末装置１から送信されたＱｏＳ保証エリア３０の情報を送受信部５２ａで受信し、そのＱｏＳ保証エリア３０の情報をデータベース５２ｂに登録（記憶）する（ステップＳ２）。本実施形態では、このようにしてＱｏＳ保証エリア３０の登録を行う。
【００３７】
次に、移動通信端末装置１がＱｏＳ保証エリア３０に存在しないときの処理（処理１）の手順を図３及び４を参照しながら説明する。なお、ここでは、移動通信端末装置１（ユーザ）がＱｏＳ保証エリア３０（基地局４０のセル）以外の位置、具体的には、図４中の基地局４１のセル３１内に移動した場合を考える。
【００３８】
移動通信端末装置１が図４中の基地局４１のセル３１内に移動した場合、移動通信端末装置１のＩＤ情報は、基地局４１及び移動通信システムネットワーク５０を介して、自動的にＨＬＲ５１に送信される（ステップＳ３）。なお、この際、基地局４１に関する情報もＨＬＲ５１に送信される。次いで、ＨＬＲ５１は、移動通信端末装置１のＩＤ情報及び基地局４１に関する情報を受信し、それらの情報に基づいて移動通信端末装置１の現在位置の情報を登録（更新）し、管理する（ステップＳ４）。
【００３９】
次いで、ＱｏＳ制御装置５２は、ＨＬＲ５１に登録された移動通信端末装置１の現在位置の情報をＨＬＲ５１から取得する（ステップＳ５）。なお、このステップＳ５では、例えば、移動通信端末装置１の現在位置の情報が更新される度に、その情報がＨＬＲ５１から自動的にＱｏＳ制御装置５２に送信される。
【００４０】
次いで、ＱｏＳ制御装置５２は、データベース５２ｂに登録されたＱｏＳ保証エリア３０の情報と、ＨＬＲ５１から取得した移動通信端末装置１の現在位置の情報とを判定部５２ｃで照合し、移動通信端末装置１にＱｏＳを提供するか否か判定する（ステップＳ６）。図４の例では、移動通信端末装置１がＱｏＳ保証エリア３０に存在しないので、ＱｏＳ制御装置５２は、移動通信端末装置１にＱｏＳの保証を行わない。本実施形態では、移動通信端末装置１がＱｏＳ保証エリア３０に存在しない場合、このようにして処理を行う。
【００４１】
次に、移動通信端末装置１がＱｏＳ保証エリア３０に存在するときの処理（処理２）の手順を図３及び５を参照しながら説明する。なお、ここでは、図５に示すように、移動通信端末装置１（ユーザ）が基地局４１のセル３１から基地局４０のセル内、つまり、ＱｏＳ保証エリア３０内に移動（図５中の白抜き矢印）した場合を考える。
【００４２】
移動通信端末装置１が基地局４０のセル３０内に移動すると、移動通信端末装置１のＩＤ情報が、基地局４０及び移動通信システムネットワーク５０を介して、自動的にＨＬＲ５１に送信される（ステップＳ７）。なお、この際、基地局４０に関する情報もＨＬＲ５１に送信される。次いで、ＨＬＲ５１は、移動通信端末装置１のＩＤ情報及び基地局４０に関する情報を受信し、それらの情報に基づいて移動通信端末装置１の現在位置の情報を登録（更新）し、管理する（ステップＳ８）。
【００４３】
次いで、ＱｏＳ制御装置５２は、ＨＬＲ５１に登録された移動通信端末装置１の現在位置の情報をＨＬＲ５１から取得する（ステップＳ９）。そして、上述した処理１のステップＳ６と同様にして、ＱｏＳ制御装置５２は、移動通信端末装置１にＱｏＳの保証を行うか否か判定する（ステップＳ１０）。
【００４４】
そして、図５の例では、移動通信端末装置１がＱｏＳ保証エリア３０に存在するので、ＱｏＳ制御装置５２は、移動通信システムネットワーク５０及び基地局４０を介して、移動通信端末装置１にＱｏＳを保証する（ステップＳ１１）。本実施形態では、移動通信端末装置１がＱｏＳ保証エリア３０に存在する場合、このようにして処理を行う。なお、上記処理１及び２は、移動通信端末装置１が移動する度、すなわち、ＨＬＲ５１に登録される現在位置の情報が更新される度に行う。
【００４５】
上述のように、本実施形態のＱｏＳ保証型移動通信システム１００では、ＱｏＳの利用者がＱｏＳの保証を受けるエリアを設定し、そのエリア内だけでＱｏＳ保証を自動的に且つ優先的に受けることができる。それゆえ、本実施形態では、ＱｏＳ保証を受ける際に、利用者の意図を反映することができる。
【００４６】
また、ＱｏＳ保証を、全ユーザ及び全領域を対象にしてＱｏＳ保証技術を適用すると、移動通信システムネットワークの負荷が大きくなる。しかしながら、本実施形態では、ＱｏＳの利用者は、ＱｏＳの保証を受けるエリアを設定し、そのエリアのみでＱｏＳ保証を受けることができるので、移動通信システムネットワークの負荷を低減することができる。さらに、本実施形態では、ＱｏＳの利用者は、必要なエリアにおいてのみＱｏＳの保証を受けることができるので、より低価格でＱｏＳを受けることができる。
【００４７】
＜第２の実施形態＞
第２の実施形態では、ＧＰＳから得られる移動通信端末装置の現在位置の情報に基づいて、ＱｏＳ保証を行うＱｏＳ保証型移動通信システムの構成例を説明する。
【００４８】
［ＱｏＳ保証型移動通信システムの構成］
図６は、本実施形態のＧＰＳと連動したＱｏＳ保証型移動通信システムの概略構成図である。ＱｏＳ保証型移動通信システム２００は、主に、移動通信端末装置１と、所定の移動通信システムネットワーク７０内に設けられたＱｏＳ制御装置７１とで構成される。なお、本実施形態においても、第１の実施形態と同様に、移動通信端末装置１とＱｏＳ制御装置７１（移動通信システムネットワーク７０）との間におけるデータの送受信は、基地局を介して行うが、図６では、説明を簡略するため省略する。
【００４９】
ＱｏＳ制御装置７１は、第１の実施形態で説明したＱｏＳ制御装置５２と同様の構成（図１）であり、送受信部７１ａ（ＱｏＳ受信部を含む）と、データベース７１ｂ（記憶部）と、判定部７１ｃとを備える。また、各部の機能もまた第１の実施形態と同様であるので、ここでは、各部の機能の説明は省略する。
【００５０】
また、移動通信端末装置１は、第１の実施形態で説明した移動通信端末装置（図２）と同様の構成とする。それゆえ、移動通信端末装置１を構成する各部の構成及び機能の説明は省略する。なお、本実施形態では、移動通信端末装置１の現在位置の情報を、ＧＰＳ７２からＧＰＳ用アンテナ１３を介してＧＰＳ制御部１４で取得し、その情報をＱｏＳ制御装置７１に送信する。
【００５１】
［システムの動作］
次に、本実施形態のＱｏＳ保証型移動通信システム２００の動作を図７〜９を参照しながら説明する。図７は、本実施形態のＱｏＳ保証型移動通信システム２００の動作の手順を示す図であり、移動通信端末装置１とＱｏＳ制御装置７１とが、移動通信システムネットワーク７０を介して行うデータの送受信の様子を示している。また、図７には、ＱｏＳ保証エリア６０の登録処理、移動通信端末装置１がＱｏＳ保証エリア６０（登録エリア）に存在しないときの処理（処理１）及び移動通信端末装置１がＱｏＳ保証エリア６０に存在するときの処理（処理２）の手順を示す。
【００５２】
図８は、ＱｏＳ保証エリア６０の登録処理、及び、移動通信端末装置１がＱｏＳ保証エリア６０に存在しないときの処理（処理１）の様子を示す図である。また、図９は、移動通信端末装置１がＱｏＳ保証エリア６０に存在するときの処理（処理２）の様子を示す図である。
【００５３】
まず、本実施形態のＱｏＳ保証型移動通信システム２００における登録処理の手順について図７及び８を参照しながら説明する。移動通信端末装置１（ユーザ）は、移動通信システムネットワーク７０を介して、ＱｏＳ制御装置７１にＱｏＳ保証エリア６０の登録依頼情報を送信する（ステップＳ２１）。このステップＳ２１では、例えば、ユーザがＱｏＳの登録ページを表示部５の表示画面上に表示し、ＱｏＳ保証エリア６０の登録メニュー等を選択してＱｏＳ保証エリア６０を登録する。
【００５４】
次いで、ＱｏＳ制御装置７１は、移動通信端末装置１から送信されたＱｏＳ保証エリア６０の情報を送受信部７１ａで受信し、そのＱｏＳ保証エリア６０の情報をデータベース７１ｂに登録（記憶）する（ステップＳ２２）。なお、本実施形態では、移動通信端末装置１の現在位置の情報にＧＰＳの情報（緯度及び経度）を用いるので、ＱｏＳ制御装置７１のデータベース７１ｂには、緯度及び経度で規定されたＱｏＳ保証エリア６０の情報が登録される。本実施形態では、このようにしてＱｏＳ保証エリア６０の登録を行う。
【００５５】
次に、本実施形態において、移動通信端末装置１がＱｏＳ保証エリア６０に存在しないときの処理（処理１）の手順を図７及び８を参照しながら説明する。
【００５６】
まず、移動通信端末装置１（ユーザ）は、ＧＰＳ７２から現在位置の情報を取得（測定）する（ステップＳ２３）。次いで、移動通信端末装置１は、取得した現在位置の情報を、移動通信システムネットワーク７０を介して、ＱｏＳ制御装置７１に送信する（ステップＳ２４）。
【００５７】
次いで、ＱｏＳ制御装置７１は、取得した移動通信端末装置１の現在位置の情報と、データベース７１ｂに登録されたＱｏＳ保証エリア６０の情報とを判定部７１ｃで照合し、移動通信端末装置１にＱｏＳサービスを提供するか否か判定する（ステップＳ２５）。そして、図８の例では、移動通信端末装置１がＱｏＳ保証エリア６０に存在しないので、ＱｏＳ制御装置７１は、移動通信端末装置１にＱｏＳを提供しない。本実施形態では、移動通信端末装置１がＱｏＳ保証エリア６０に存在しない場合、このようにして処理を行う。
【００５８】
次に、移動通信端末装置１がＱｏＳ保証エリア６０に存在するときの処理（処理２）の手順を図７及び９を参照しながら説明する。
【００５９】
まず、移動通信端末装置１（ユーザ）がＱｏＳ保証エリア６０内に移動する（ステップＳ２６：図９中の白抜き矢印）。次いで、移動通信端末装置１は、ＧＰＳ７２から現在位置の情報を取得（測定）する（ステップＳ２７）。次いで、移動通信端末装置１は、取得した現在位置の情報を、移動通信システムネットワーク７０を介して、ＱｏＳ制御装置７１に送信する（ステップＳ２８）。
【００６０】
次いで、ＱｏＳ制御装置７１は、取得した移動通信端末装置１の現在位置の情報と、データベース７１ｂに登録されたＱｏＳ保証エリア６０の情報とを判定部７１ｃで照合し、移動通信端末装置１にＱｏＳサービスを提供するか否か判定する（ステップＳ２９）。
【００６１】
図９の例では、移動通信端末装置１がＱｏＳ保証エリア６０に存在するので、ＱｏＳ制御装置７１は、移動通信システムネットワーク７０を介して、移動通信端末装置１にＱｏＳを保証する（ステップＳ３０）。本実施形態では、移動通信端末装置１がＱｏＳ保証エリア６０に存在する場合、このようにして処理を行う。
【００６２】
なお、上記処理１及び２では、移動通信端末装置１がＧＰＳ７２から現在位置の情報を取得する工程（ステップＳ２３及びＳ２７）を所定の時間間隔Ｔで行い、その度にＱｏＳ保証エリア６０との照合（ステップＳ２５及びＳ２９）を行う。すなわち、上記処理１及び２は所定の時間間隔Ｔで繰り返し行う。なお、この時間間隔Ｔは適宜、ユーザにより設定できる。また、上記処理１及び２は、ユーザが必要に応じて適宜実行してもよい。
【００６３】
上述のように、本実施形態のＱｏＳ保証型移動通信システム２００では、ＱｏＳの利用者がＱｏＳの保証を受けるエリアを設定し、そのエリア内だけでＱｏＳ保証を自動的に且つ優先的に受けることができる。それゆえ、本実施形態では、第１の実施形態と同様にＱｏＳ保証を受ける際に、利用者の意図を反映することができる。
【００６４】
また、本実施形態では、ＱｏＳの利用者は、必要なエリアにおいてのみＱｏＳの保証を受けることができるので、移動通信システムネットワークの負荷を低減できるとともに、より低価格でＱｏＳを受けることができる。
【００６５】
上記第１及び第２の実施形態では、移動通信端末装置１の現在位置の情報として、それぞれＨＬＲで管理されている位置情報及びＧＰＳの位置情報を用いる例を説明したが、本発明はこれに限定されない。移動通信端末装置１の位置を特定可能な情報であれば、任意の情報を用いることができる。例えば、所定の施設（映画館等）の入出力管理ゲート（フラッパーゲート）を通過した際に、その通過したという情報を位置情報として用いてもよい。この場合、予め利用施設に関する情報をＱｏＳ制御装置に登録しておき、移動通信端末装置１が所定の施設（映画館等）の入出力管理ゲートを通過した際にその情報がＱｏＳ制御装置に送信され、予め登録されたＱｏＳ保証エリアの情報と照合される。
【００６６】
また、上記第１及び第２実施形態では、ＱｏＳを受けるエリアのみを限定する例を説明したが、本発明はこれに限定されない。例えば、ＱｏＳ保証エリアに加えて、ＱｏＳの利用時間を限定してもよい。
【符号の説明】
【００６７】
１…移動通信端末装置、２…制御部、３…通信回路、３ａ…送信部、３ｂ…受信部、４…アンテナ、５…表示部、６…操作部、７…記憶部、８…制御ライン、９…データライン、１０…スピーカ、１１…マイクロフォン、１２…音声処理部、１３…ＧＰＳ用アンテナ、１４…ＧＰＳ制御部、３０，６０…ＱｏＳ保証エリア、４０…基地局、５０，７０…移動通信システムネットワーク、５１…ＨＬＲ、５２，７１…ＱｏＳ制御装置、５２ａ，７１ａ…送受信部、５２ｂ，７１ｂ…データベース、５２ｃ，７１ｃ…判定部、７２…ＧＰＳ、１００，２００…ＱｏＳ保証型移動通信システム
【図１】
2010166243.tif 000003
【図２】
2010166243.tif 000004
【図３】
2010166243.tif 000005
【図４】
2010166243.tif 000006
【図５】
2010166243.tif 000007
【図６】
2010166243.tif 000008
【図７】
2010166243.tif 000009
【図８】
2010166243.tif 000010
【図９】
2010166243.tif 000011